(57)【特許請求の範囲】
【請求項１】
第一色を呈する第一ラックに第一方向へ一列に並んだ状態で収容された複数の採血管内の血液検体と、当該第一色と異なる第二色を呈する第二ラックに前記第一方向へ一列に並んだ状態で収容された複数の採血管内の血液検体に対して、所定の検査を実行する検査部と、
前記検査が終了した後に、前記第一ラックと前記第二ラックを前記第一方向と交差する第二方向へ並んだ状態で配置する搬出部と、
前記搬出部と上下方向に隣接するように配置されており、前記検査の結果を示す結果画面を表示する表示部と、
を備えており、
前記結果画面は、
前記搬出部における前記第一ラックの位置に対応する位置に表示され、前記第一色を呈する第一領域と、
前記搬出部における前記第二ラックの位置に対応する位置に表示され、前記第二色を呈する第二領域と、
前記第一領域において、前記第一ラックに収容された前記複数の採血管に対応する位置に表示される複数の第一シンボルと、
前記第二領域において、前記第二ラックに収容された前記複数の採血管に対応する位置に表示される複数の第二シンボルと、
前記第一方向と対応する向きに配列されており、当該第一方向における前記複数の採血管の位置を表す複数の第一文字と、
前記第二方向と対応する向きに配列されており、当該第二方向における前記第一ラックと前記第二ラックの位置を表す複数の第二文字と、
を含んでおり、
前記複数の第一シンボルと前記複数の第二シンボルの各々は、前記検査の結果に応じて表示態様が変化する、
血液検査装置。
【請求項２】
前記第一色と前記第二色を自動的に識別可能なセンサを備えている、
請求項１に記載の血液検査装置。
【請求項３】
前記結果は、前記血液検体の正常、前記血液検体の異常、および測定エラーを含んでいる、
請求項１または２に記載の血液検査装置。
【請求項４】
前記測定エラーは、前記検査部の不備に起因するエラー、および前記複数の採血管の各々に付与された識別情報の不備に起因するエラーを含んでいる、
請求項３に記載の血液検査装置。
【請求項５】
前記表示部は、前記複数の第一シンボルと前記複数の第二シンボルの少なくとも一つに所定の操作を与えることにより、当該操作されたシンボルに対応する採血管に収容された血液検体の詳細情報を表示するように構成されている、
請求項１から４のいずれか一項に記載の血液検査装置。
【請求項６】
前記表示部は、タッチパネルを備えており、
前記表示部は、前記タッチパネルにおける前記複数の第一シンボルと前記複数の第二シンボルの各々に対応する位置にユーザが触れることにより、当該位置に対応する採血管に収容された血液検体の詳細情報を表示するように構成されている、
請求項５に記載の血液検査装置。
【請求項７】
第一色を呈する第一ラックに収容された複数の採血管内の血液検体と、当該第一色と異なる第二色を呈する第二ラックに収容された複数の採血管内の血液検体に対して、所定の検査を実行する検査部と、
前記検査が終了した後に、前記第一ラックと前記第二ラックが配置される搬出部と、
前記検査の結果を示す結果画面を表示する表示部と、
を備えており、
前記結果画面は、
前記搬出部における前記第一ラックの位置に対応する位置に表示され、前記第一色を呈する第一領域と、
前記搬出部における前記第二ラックの位置に対応する位置に表示され、前記第二色を呈する第二領域と、
前記第一領域において、前記第一ラックに収容された前記複数の採血管に対応する位置に表示される複数の第一シンボルと、
前記第二領域において、前記第二ラックに収容された前記複数の採血管に対応する位置に表示される複数の第二シンボルと、
を含んでおり、
前記複数の第一シンボルと前記複数の第二シンボルの各々は、前記検査の結果に応じて表示態様が変化し、
前記搬出部は、複数の光源を備えており、
前記複数の光源の各々は、前記複数の採血管の対応する一つを照明可能な位置に配置されており、
前記複数の光源の各々は、前記検査の結果に応じて発光状態が変化する、
血液検査装置。
【発明の詳細な説明】
【技術分野】
【０００１】
本発明は、血液検査装置に関する。
【背景技術】
【０００２】
非特許文献１に血液検査装置の一例として自動血球計数器が開示されている。この自動血球計数器は、ラック台を備えている。複数の被検者から採取された血液検体をそれぞれ収容している複数の採血管は、まずラックに収容される。複数の採血管を収容したラックは、ラック台にセットされる。自動測定が開始されると、ラック台上のラックは、装置内部の検査部へ搬送される。検査部では、各血液検体が各採血管から吸引され、各血液検体の血球数に係る数値が測定される。検査結果は、バーコードで各採血管に付与された被検者の識別情報と関連付けて管理される。識別情報もまた、装置により自動的に読み取られる。識別情報の読取りに失敗すると、測定エラーが出力される。
【０００３】
測定が終了すると、ラックは、ラック台へと搬送される。検査技師などのユーザは、検査結果に基づき、血液学的臨床基準範囲（または施設基準範囲）から外れた血液検体を収容している採血管をラックから取り出し、顕微鏡などを用いて当該血液検体に対する再検査を行なう。測定エラーが出力された場合、ユーザは、該当する血液検体を収容している採血管をラックから取り出し、当該血液検体を再び血液検査装置による自動検査にかける。再検査に供される採血管の特定は、ユーザによる目視を通じて行なわれる。
【先行技術文献】
【非特許文献】
【０００４】
【非特許文献１】添付文書  「全自動血球計数器  ＭＥＫ−８２２２  セルタック  Ｆ」  日本光電工業株式会社  ２００６年１月１８日
【発明の概要】
【発明が解決しようとする課題】
【０００５】
本発明は、自動検査の終了後における、再検査が必要な血液検体を特定する作業の効率を向上することを目的とする。
【課題を解決するための手段】
【０００６】
上記の目的を達成するために、本発明がとりうる一態様は、血液検査装置であって、
第一色を呈し、複数の採血管を収容可能な第一ラックと、
前記第一色と異なる第二色を呈し、複数の採血管を収容可能な第二ラックと、
前記複数の採血管に収容された血液検体に対して所定の検査を実行する検査部と、
前記検査が終了した後に、前記第一ラックと前記第二ラックが配置される搬出部と、
前記検査の結果を示す結果画面を表示する表示部と、
を備えており、
前記結果画面は、
前記搬出部における前記第一ラックの位置に対応する位置に表示され、前記第一色を呈する第一領域と、
前記搬出部における前記第二ラックの位置に対応する位置に表示され、前記第二色を呈する第二領域と、
前記第一領域において、前記第一ラックに収容された前記複数の採血管に対応する位置に表示される複数の第一シンボルと、
前記第二領域において、前記第二ラックに収容された前記複数の採血管に対応する位置に表示される複数の第二シンボルと、
を含んでおり、
前記複数の第一シンボルと前記複数の第二シンボルの各々は、前記検査の結果に応じて表示態様が変化する。
【０００７】
このような構成によれば、複数の採血管は、色が相違する複数のラックに収容される。検査部による検査結果を示すように表示部に表示される結果画面は、当該複数のラックの色に対応する色を呈する複数の領域を含んでいる。さらに、各表示領域は、各ラックが収容している複数の採血管の位置に対応するように配置された複数のシンボルを含んでいる。各シンボルは、検査結果に応じて表示態様が変化する。すなわち、結果画面上において各採血管を示すシンボルの位置と、実際に複数のラックのいずれかに収容されている各採血管の位置の対応関係が、複数の色の使用を通じて視覚的に明確にされている。これにより、ユーザは、結果画面上の色と現実のラックの色を確認しながら、再検査を要する血液検体を収容している採血管を、容易に特定できる。したがって、自動検査の終了後における、再検査が必要な検体を特定する作業の効率を向上できる。
【０００８】
上記の血液検査装置は、以下のように構成されうる。
前記第一色と前記第二色を自動的に識別可能なセンサを備えている。
【０００９】
このような構成によれば、ユーザは、第一ラックと第二ラックを配置する際に、色の配列に係る規則を意識する必要から解放される。また、第一ラックと第二ラックの色の組合せに係る選択自由度が向上する。したがって、自動検査の終了後における再検査が必要な検体を特定する作業のみならず、自動検査を開始する前の作業効率も向上できる。
【００１０】
上記の血液検査装置は、以下のように構成されうる。
前記表示部は、前記搬出部に隣接するように配置されている。
【００１１】
このような構成によれば、再検査を要する検体を収容している採血管をラックから取り出す作業を行なうにあたり、ユーザは、結果画面と実際の第一ラックおよび第二ラックの状態とを、容易に見比べることができる。したがって、自動検査の終了後における、再検査が必要な検体を特定する作業の効率をより向上できる。
【００１２】
上記の血液検査装置は、以下のように構成されうる。
前記結果は、前記血液検体の正常、前記血液検体の異常、および測定エラーを含んでいる。
【００１３】
このような構成によれば、ユーザは、結果画面上の色と現実のラックの色を確認しながら、再測定を要する血液検体を収容している採血管を容易に特定できる。したがって、自動検査の終了後における、再検査が必要な検体を特定する作業の効率をより向上できる。
【００１４】
この場合、上記の血液検査装置は、以下のように構成されうる。
前記測定エラーは、前記検査部の不備に起因するエラー、および前記複数の採血管の各々に付与された識別情報の不備に起因するエラーを含んでいる。
【００１５】
このような構成によれば、ユーザは、当該表示を参照しつつ、検査部と識別情報のいずれを調整すべきなのかを容易に判断できる。したがって、自動検査の終了後における、再検査が必要な検体を特定する作業の効率をより向上できる。
【００１６】
上記の血液検査装置は、以下のように構成されうる。
前記表示部は、前記複数の第一シンボルと前記複数の第二シンボルの少なくとも一つに所定の操作を与えることにより、当該操作されたシンボルに対応する採血管に収容された血液検体の詳細情報を表示するように構成されている。
【００１７】
このような構成によれば、ユーザは、再検査が必要な採血管を特定する作業に際して、所望の採血管に収容されている血液検体の詳細情報を、必要に応じて結果画面上で取得できる。したがって、自動検査の終了後における、再検査が必要な検体を特定する作業の効率をより向上できる。
【００１８】
この場合、上記の血液検査装置は、以下のように構成されうる。
前記表示部は、タッチパネルを備えており、
前記表示部は、前記タッチパネルにおける前記複数の第一シンボルと前記複数の第二シンボルの各々に対応する位置にユーザが触れることにより、当該位置に対応する採血管に収容された血液検体の詳細情報を表示するように構成されている。
【００１９】
このような構成によれば、ユーザの操作を結果画面に集約できる。したがって、自動検査の終了後における、再検査が必要な検体を特定する作業の効率をより向上できる。
【００２０】
上記の血液検査装置は、以下のように構成されうる。
前記第一ラックと前記第二ラックの各々は、前記第一方向へ一列に並んだ状態で前記複数の採血管を収容可能とされている。
【００２１】
このような構成によれば、当該色に基づいて再検査が必要な血液検体を収容している採血管を特定する際の判断量を最小限にできる。したがって、自動検査の終了後における、再検査が必要な検体を特定する作業の効率をより向上できる。
【００２２】
上記の血液検査装置は、以下のように構成されうる。
前記第一ラックと前記第二ラックは、前記第一方向と交差する第二方向に配列される。
【００２３】
このような構成によれば、結果画面における複数の第一シンボルおよび第二シンボルの視覚的認識を容易にできる。したがって、自動検査の終了後における、再検査が必要な検体を特定する作業の効率をより向上できる。
【００２４】
上記の血液検査装置は、以下のように構成されうる。
前記搬入部は、複数の光源を備えており、
前記複数の光源の各々は、前記複数の採血管の対応する一つを照明可能な位置に配置されており、
前記複数の光源の各々は、前記検査の結果に応じて発光状態が変化する。
【００２５】
このような構成によれば、例えば再検査を要する血液検体を収容している採血管が光源により照明されるため、ユーザは、当該採血管を容易に特定できる。したがって、自動検査の終了後における、再検査が必要な検体を特定する作業の効率をより向上できる。
【図面の簡単な説明】
【００２６】
【図１】一実施形態に係る血球計数器の外観を模式的に示す図である。
【図２】上記の血球計数器に用いられる複数のラックの外観を示す図である。
【図３】上記の血球計数器に表示される結果画面を説明するための図である。
【図４】上記の血球計数器に表示される結果画面を説明するための図である。
【図５】変形例に係る血球計数器の一部を模式的に示す図である。
【発明を実施するための形態】
【００２７】
添付の図面を参照しつつ、実施形態の例を以下詳細に説明する。図１は、一実施形態に係る血球計数器１（血液検査装置の一例）の外観を模式的に示している。血球計数器１は、搬入部２、検査部３、搬出部４、および表示部５を備えている。
【００２８】
搬入部２は、複数のラックを支持するように構成されている。本実施形態においては、搬入部２は、第一ラック２１、第二ラック２２、第三ラック２３、第四ラック２４、第五ラック２５、および第六ラック２６を支持可能に構成されている。
【００２９】
図２は、第一ラック２１と第二ラック２２の外観を代表して示している。第一ラック２１は、第一色を呈している。第一ラック２１は、同図中に矢印Ｄ１で示される第一方向に配列された十個のホルダ２１ａを備えている。各ホルダ２１ａは、採血管１０を収容可能に構成されている。したがって、第一ラック２１は、十本の採血管１０を第一方向Ｄ１に配列された状態で収容可能に構成されている。
【００３０】
第二ラック２２は、第一色とは異なる第二色を呈している。第二ラック２２は、第一方向Ｄ１に配列された十個のホルダ２２ａを備えている。各ホルダ２２ａは、採血管１０を収容可能に構成されている。したがって、第二ラック２２は、十本の採血管１０を第一方向Ｄ１に配列された状態で収容可能に構成されている。
【００３１】
図２に示されるように、各採血管１０には、識別子１１が付与されている。識別子１１は、その採血管１０が収容している血液検体が採取された被検者の識別情報を含んでいる。識別子１１の例としては、バーコードラベルや、ＲＦＩＤタグが挙げられる。
【００３２】
検査部３は、血球計数器１の内部に設けられている。ユーザにより検査実行が指示されると、搬入部２に支持された第一ラック２１、第二ラック２２、第三ラック２３、第四ラック２４、第五ラック２５、および第六ラック２６は、自動搬送機構により、検査部３へ順次搬送される。検査部３は、複数の採血管１０に収容された各血液検体に対して所定の検査を自動的に実行するように構成されている。検査部３の動作自体は周知であるため、詳細な説明は省略する。
【００３３】
また、検査部３は、各採血管１０に設けられた識別子１１が含んでいる識別情報を自動的に読み取るように構成されている。各採血管１０に収容された血液検体の検査結果は、読み取られた識別情報と関連付けて管理される。
【００３４】
検査が終了すると、第一ラック２１、第二ラック２２、第三ラック２３、第四ラック２４、第五ラック２５、および第六ラック２６は、搬出部４に配置される。
【００３５】
図３の（Ａ）は、搬出部４に配置された第一ラック２１、第二ラック２２、第三ラック２３、第四ラック２４、第五ラック２５、および第六ラック２６を上方から見た外観を示している。本実施形態においては、第一ラック２１、第二ラック２２、第三ラック２３、第四ラック２４、第五ラック２５、および第六ラック２６は、同図中に矢印Ｄ２で示される第二方向に配列するように搬出部４に支持される。本実施形態においては、第二方向Ｄ２は、血球計数器１の前後方向について第一方向Ｄ１と直交している。
【００３６】
第三ラック２３は、第三色を呈しており、第一方向に配列された十個のホルダ２３ａを備えている。第四ラック２４は、第四色を呈しており、第一方向に配列された十個のホルダ２４ａを備えている。第五ラック２５は、第五色を呈しており、第一方向に配列された十個のホルダ２５ａを備えている。第六ラック２６は、第六色を呈しており、第一方向に配列された十個のホルダ２６ａを備えている。
【００３７】
本実施形態においては、第一色から第六色は、すべて互いに異なる色である。しかしながら、第一色から第六色の組合せは、少なくとも二色を含んでいれば、適宜に定められうる。例えば、第一ラック２１、第三ラック２３、および第五ラック２５が青色を呈し、第二ラック２２、第四ラック２４、および第六ラック２６が赤色を呈するように、色の組合せが定められうる。
【００３８】
表示部５は、検査部３による検査の結果を示す結果画面５１を表示するように構成されている。図３の（Ｂ）は、結果画面５１の一例を示している。結果画面５１は、第一領域５１１、第二領域５１２、第三領域５１３、第四領域５１４、第五領域５１５、および第六領域５１６を含んでいる。
【００３９】
第一領域５１１は、搬出部４における第一ラック２１の位置に対応する位置に表示されている。第一領域５１１は、第一ラック２１の色である第一色を呈している。第一領域５１１は、十個の第一シンボル５１１ａを含んでいる。十個の第一シンボル５１１ａは、第一ラック２１に収容された十本の採血管１０に対応する位置に表示されている。
【００４０】
第二領域５１２は、搬出部４における第二ラック２２の位置に対応する位置に表示されている。第二領域５１２は、第二ラック２２の色である第二色を呈している。第二領域５１２は、十個の第二シンボル５１２ａを含んでいる。十個の第二シンボル５１２ａは、第二ラック２２に収容された十本の採血管１０に対応する位置に表示されている。
【００４１】
第三領域５１３は、搬出部４における第三ラック２３の位置に対応する位置に表示されている。第三領域５１３は、第三ラック２３の色である第三色を呈している。第三領域５１３は、十個の第三シンボル５１３ａを含んでいる。十個の第三シンボル５１３ａは、第三ラック２３に収容された十本の採血管１０に対応する位置に表示されている。
【００４２】
第四領域５１４は、搬出部４における第四ラック２４の位置に対応する位置に表示されている。第四領域５１４は、第四ラック２４の色である第四色を呈している。第四領域５１４は、十個の第四シンボル５１４ａを含んでいる。十個の第四シンボル５１４ａは、第四ラック２４に収容された十本の採血管１０に対応する位置に表示されている。
【００４３】
第五領域５１５は、搬出部４における第五ラック２５の位置に対応する位置に表示されている。第五領域５１５は、第五ラック２５の色である第五色を呈している。第五領域５１５は、十個の第五シンボル５１５ａを含んでいる。十個の第五シンボル５１５ａは、第五ラック２５に収容された十本の採血管１０に対応する位置に表示されている。
【００４４】
第六領域５１６は、搬出部４における第六ラック２６の位置に対応する位置に表示されている。第六領域５１６は、第六ラック２６の色である第六色を呈している。第六領域５１６は、十個の第六シンボル５１６ａを含んでいる。十個の第六シンボル５１６ａは、第六ラック２６に収容された十本の採血管１０に対応する位置に表示されている。
【００４５】
十個の第一シンボル５１１ａ、十個の第二シンボル５１２ａ、十個の第三シンボル５１３ａ、十個の第四シンボル５１４ａ、十個の第五シンボル５１５ａ、および十個の第六シンボル５１６ａの各々は、検査部４１３により行なわれた自動検査の結果に応じて、表示態様が変化する。例えば、ある血液検体が血液学的臨床基準範囲（または施設基準範囲）から外れていると検査結果が示している場合、当該血液検体を収容している採血管１０の位置に対応しているシンボルに陽性（positive）を示す「Ｐ」という文字が表示される。
【００４６】
図示の例においては、第一ラック２１の左から四番目に収容された採血管１０に対応する第一シンボル５１１ａ、第三ラック２３の左から八番目に収容された採血管１０に対応する第三シンボル５１３ａ、第四ラック２４の左から十番目に収容された採血管１０に対応する第四シンボル５１４ａ、および第六ラック２６の左から三番目に収容された採血管１０に対応する第六シンボル５１６ａに「Ｐ」という文字が表示されている。
【００４７】
ある血液検体が  血液学的臨床基準範囲（または施設基準範囲）内にあると検査結果が示している場合、当該血液検体を収容している採血管１０の位置に対応しているシンボルの表示は変化しない。しかしながら、当該シンボルに陰性（negative）を示す「Ｎ」という文字を表示してもよい。
【００４８】
検査が終了すると、第一ラック２１、第二ラック２２、第三ラック２３、第四ラック２４、第五ラック２５、および第六ラック２６は、搬出部４に配置される。ユーザは、結果画面５１を確認し、「Ｐ」という文字が表示されているシンボルに対応する採血管１０をラックから取り出す。取り出された採血管１０に収容されている血液検体は、顕微鏡などを用いた再検査に供される。
【００４９】
血液検体の取り違えを避けるために、再検査に供される採血管１０の特定は慎重に行なわれる必要がある。しかしながら、検査に供される複数の採血管１０は、同一の外観を有している。それらが多数並んでいる状態から、特定の採血管１０を取り出す作業は、ユーザにとって負担である。
【００５０】
本実施形態の構成によれば、複数の採血管１０は、色が相違する複数のラックに収容される。検査部３による検査結果を示すように表示部５に表示される結果画面５１は、当該複数のラックの色に対応する色を呈する複数の領域を含んでいる。さらに、各表示領域は、各ラックが収容している複数の採血管１０の位置に対応するように配置された複数のシンボルを含んでいる。各シンボルは、検査結果に応じて表示態様が変化する。すなわち、結果画面５１上において各採血管１０を示すシンボルの位置と、実際に複数のラックのいずれかに収容されている各採血管１０の位置の対応関係が、複数の色の使用を通じて視覚的に明確にされている。これにより、ユーザは、結果画面５１上の色と現実のラックの色を確認しながら、再検査を要する血液検体を収容している採血管１０を、容易に特定できる。したがって、自動検査の終了後における、再検査が必要な検体を特定する作業の効率を向上できる。
【００５１】
検査部３により得られる検査結果は、上記した血液検体の陽性か陰性かに加え、測定エラーを含みうる。測定エラーは、さらに検査部３の不備に起因するエラーと、各採血管１０に付与された識別子１１が含んでいる識別情報の不備に起因するエラーとに区別される。前者の例としては、検査部３の誤動作や故障が挙げられる。後者の例としては、識別子１１の脱落や、識別子１１がバーコードラベルである場合におけるバーコードの汚れやかすれが挙げられる。
【００５２】
図３の（Ｂ）に示されるように、結果画面５１は、「Ｅ」の文字と「Ｂ」の文字を含んでいる。「Ｅ」の文字は、検査結果が検査部３の不備に起因する測定エラーを示している場合に表示される。図示の例では、第五ラック２５の左から二番目に収容された採血管１０に対応する第五シンボル５１５ａに当該文字が表示されている。「Ｂ」の文字は、検査結果が識別子１１の不備に起因する測定エラーを示している場合に表示される。図示の例では、第二ラック２２の左から六番目に収容された採血管１０に対応する第二シンボル５１２ａに当該文字が表示されている。
【００５３】
このような構成によれば、ユーザは、結果画面５１上の色と現実のラックの色を確認しながら、再測定を要する血液検体を収容している採血管１０を、容易に特定できる。したがって、自動検査の終了後における、再検査が必要な検体を特定する作業の効率をより向上できる。
【００５４】
特に測定エラーが検査部３に起因しているのか識別子１１に起因しているのかを表示できる構成の場合、ユーザは、当該表示を参照しつつ、検査部３と識別子１１のいずれを調整すべきなのかを容易に判断できる。したがって、自動検査の終了後における、再検査が必要な検体を特定する作業の効率をより向上できる。
【００５５】
各第一シンボル５１１ａ、各第二シンボル５１２ａ、各第三シンボル５１３ａ、各第四シンボル５１４ａ、各第五シンボル５１５ａ、および各第六シンボル５１６ａは、第一ラック２１、第二ラック２２、第三ラック２３、第四ラック２４、第五ラック２５、および第六ラック２６における対応する位置に採血管１０が収容されているか否かに応じて、表示態様が変化するように構成されうる。
【００５６】
図示の例においては、第一ラック２１の左から一番目に収容されている採血管１０に対応する第一シンボル５１１ａ、第二ラック２２の左から八番目に収容されている採血管１０に対応する第二シンボル５１２ａ、第三ラック２３の左から九番目に収容されている採血管１０に対応する第三シンボル５１３ａ、第四ラック２４の左から九番目に収容されている採血管１０に対応する第四シンボル５１４ａ、第五ラック２５の左から十番目に収容されている採血管１０に対応する第五シンボル５１５ａ、および第六ラック２６の左から七番目と十番目に収容されている採血管１０に対応する第六シンボル５１６ａが薄く表示されている。当該表示は、図３の（Ａ）との比較から明らかなように、対応する位置のホルダに採血管１０が収容されていないことを示している。
【００５７】
多数の採血管１０が配列されている状態においては、採血管１０の不在箇所は、一種の特徴点として認識される。上記のような構成によれば、現実のラックにおける採血管１０の不在が、存在する採血管１０との位置関係を維持したまま結果画面５１に反映される。そのため、再検査を要する血液検体を収容している採血管１０を特定しやすくできる。したがって、自動検査の終了後における、再検査が必要な検体を特定する作業の効率をより向上できる。
【００５８】
図１に示されるように、検査部３による検査を経た第一ラック２１、第二ラック２２、第三ラック２３、第四ラック２４、第五ラック２５、および第六ラック２６が配置される搬出部４は、表示部５と血球計数器１の上下方向に隣接するように配置されている。
【００５９】
このような構成によれば、再検査を要する検体を収容している採血管１０をラックから取り出す作業を行なうにあたり、ユーザは、結果画面５１と実際の第一ラック２１、第二ラック２２、第三ラック２３、第四ラック２４、第五ラック２５、および第六ラック２６の状態を、容易に見比べることができる。したがって、自動検査の終了後における、再検査が必要な検体を特定する作業の効率をより向上できる。
【００６０】
互いに隣接することにより、結果画面５１と実際の採血管１０の配列の比較を容易にできるのであれば、表示部５と搬出部４の位置関係は、適宜に定められうる。例えば、表示部５と搬出部４は、血球計数器１の上下方向に隣接するように配置されうる。
【００６１】
表示部５は、十個の第一シンボル５１１ａ、十個の第二シンボル５１２ａ、十個の第三シンボル５１３ａ、十個の第四シンボル５１４ａ、十個の第五シンボル５１５ａ、および十個の第六シンボル５１６ａの少なくとも一つに所定の操作を与えることにより、当該操作されたシンボルに対応する採血管１０に収容された血液検体の詳細情報を表示するように構成されている。
【００６２】
例えば、図４の（Ａ）に示されるように、結果画面５１にはカーソル５２が表示されている。カーソル４２は、マウスなどの入力装置により、結果画面５１上を移動し、任意のシンボルを操作できるように構成されている。図示の例においては、第六ラック２６の左から三番目に収容された採血管１０に対応する第六シンボル５１６ａ上にカーソル５２が配置されている。この状態でクリックなどの操作入力を行なうと、図４の（Ｂ）に示されるように、当該シンボルに対応する採血管１０に収容された血液検体の詳細情報５３が表示される。詳細情報の例としては、当該血液検体が採取された被検者の識別情報、検査結果の詳細な数値データなどが挙げられる。すなわち、詳細情報５３の表示にあたっては、識別子１１に保存され検査部３により読み取られた識別情報や、検査部３により取得された検査データが利用される。
【００６３】
このような構成によれば、ユーザは、再検査が必要な採血管１０を特定する作業に際して、所望の採血管１０に収容されている血液検体の詳細情報を、必要に応じて結果画面５１上で取得できる。したがって、自動検査の終了後における、再検査が必要な検体を特定する作業の効率をより向上できる。
【００６４】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６５】
表示部５は、タッチパネルを備えうる。この場合、表示部５は、十個の第一シンボル５１１ａ、十個の第二シンボル５１２ａ、十個の第三シンボル５１３ａ、十個の第四シンボル５１４ａ、十個の第五シンボル５１５ａ、および十個の第六シンボル５１６ａの少なくとも一つに対応する画面上の位置にユーザが触れることにより、当該位置のシンボルに対応する採血管１０に収容された血液検体の詳細情報５３を表示するように構成される。
【００６６】
このような構成によれば、ユーザの操作を結果画面５１に集約できる。したがって、自動検査の終了後における、再検査が必要な検体を特定する作業の効率をより向上できる。
【００６７】
図３の（Ａ）に破線で示されるように、血球計数器１は、色センサ６をさらに備えてもよい。色センサ６は、第一ラック２１、第二ラック２２、第三ラック２３、第四ラック２４、第五ラック２５、および第六ラック２６の色を自動的に識別可能に構成されている。
【００６８】
例えば、フルカラーＬＥＤなどの発光素子から出射された青色、緑色、赤色の光で各ラックを照明し、各光の反射光強度をフォトダイオードなどの受光素子で測定することにより、ラックの色を識別できる。あるいは、各ラックに当該ラックの色を示す情報を含んだバーコードなどの識別子を付与し、適宜の読取装置で当該情報を読み取ることによって各ラックの色を識別してもよい。
【００６９】
色センサを用いずに前述の結果画面５１を得るためには、例えば、第一領域５１１、第二領域５１２、第三領域５１３、第四領域５１４、第五領域５１５、および第六領域５１６の各色の配列に一致する色の配列を、ガイドとして搬入部２上に予め提示しておくという構成が考えられる。ユーザは、当該ガイドの示す色の配列が得られるように、第一ラック２１、第二ラック２２、第三ラック２３、第四ラック２４、第五ラック２５、および第六ラック２６を搬入部２上に配置していけばよい。
【００７０】
上記のように色センサを備える構成によれば、ユーザは、第一ラック２１、第二ラック２２、第三ラック２３、第四ラック２４、第五ラック２５、および第六ラック２６を搬入部２に配置する際に、色の配列に係る規則を意識する必要から解放される。また、第一ラック２１、第二ラック２２、第三ラック２３、第四ラック２４、第五ラック２５、および第六ラック２６の色の組合せに係る選択自由度が向上する。したがって、自動検査の終了後における再検査が必要な検体を特定する作業のみならず、自動検査を開始する前の作業効率も向上できる。
【００７１】
図５に破線で示されるように、血球計数器１は、複数の光源７をさらに備えてもよい。この場合、複数の光源７の各々は、複数の採血管１０の対応する一つを照明可能な位置に配置される。複数の光源７の各々は、検査部３による検査の結果に応じて発光状態が変化するように構成される。
【００７２】
例えば、ある血液検体が血液学的臨床基準範囲（または施設基準範囲）から外れていると検査結果が示している場合、当該血液検体を収容している採血管１０の位置に対応している光源７が発光する。検出結果の種別（血液検体の異常、測定エラーなど）に応じて発光する色が変化する構成としてもよい。
【００７３】
本例の場合、複数の光源７は、搬出部４に予め埋設されている。光源７が発光すると、当該光源７の上方に配置されている採血管１０が下方から照明される。
【００７４】
このような構成によれば、例えば再検査を要する血液検体を収容している採血管１０が光源７により照明されるため、ユーザは、当該採血管１０を容易に特定できる。したがって、自動検査の終了後における、再検査が必要な検体を特定する作業の効率をより向上できる。
【００７５】
複数の光源７は、搬出部４とは別体の光源ユニットに設けられうる。当該光源ユニットは、第一ラック２１、第二ラック２２、第三ラック２３、第四ラック２４、第五ラック２５、および第六ラック２６を支持するバスケットのような態様をとりうる。
【００７６】
上記の実施形態においては、第一ラック２１、第二ラック２２、第三ラック２３、第四ラック２４、第五ラック２５、および第六ラック２６は、それぞれ十本の採血管１０を、第一方向Ｄ１に一列に並んだ状態で収容可能に構成されている。特定の色に関連付けられる採血管１０の列が一列のみであれば、当該色に基づいて再検査が必要な血液検体を収容している採血管１０を特定する際の判断量を最小限にできる。したがって、自動検査の終了後における、再検査が必要な検体を特定する作業の効率をより向上できる。
【００７７】
しかしながら、各ラックが収容可能な採血管１０の数は、複数であれば適宜に定められうる。例えば、五本の採血管１０を一列に並んだ状態で収容する構成、二十本の採血管１０を一列に並んだ状態で収容する構成、十本の採血管１０が二列に並んだ状態で二十本の採血管１０を収容する構成などが考えられる。
【００７８】
上記の実施形態においては、第一ラック２１、第二ラック２２、第三ラック２３、第四ラック２４、第五ラック２５、および第六ラック２６は、血球計数器１の前後方向に対応する第二方向Ｄ２に配列されている。しかしながら、第一ラック２１、第二ラック２２、第三ラック２３、第四ラック２４、第五ラック２５、および第六ラック２６は、第一方向Ｄ１に交差する第二方向Ｄ２の一例として、血球計数器１の上下方向に配列されてもよい。あるいは、第一ラック２１、第二ラック２２、第三ラック２３、第四ラック２４、第五ラック２５、および第六ラック２６は、第一方向Ｄ１が円の径方向に対応し、第二方向Ｄ２が当該円の周方向に対応するように放射状に配列されてもよい。
【００７９】
上記の実施形態においては、六個のラックが使用されている。複数のラックが用いられるのであれば、検査に供されるラックの数は、適宜に定められうる。用いられる色の数は、ラックの数と同じであることが好ましい。
【００８０】
搬入部２が搬出部４を兼ねる構成としてもよい。すなわち、血球計数器１は、検査部３による検査を経た第一ラック２１、第二ラック２２、第三ラック２３、第四ラック２４、第五ラック２５、および第六ラック２６が、再び搬入部２へ搬出されるように構成されうる。この場合、血球計数器１の大型化を抑制できる。
【符号の説明】
【００８１】
１：血球計数器、１０：採血管、２１：第一ラック、２２：第二ラック、３：検査部、４：搬出部、５：表示部：５１：結果画面、５１１：第一領域、５１１ａ：第一シンボル、５１２：第二領域、５１２ａ：第二シンボル、５２：カーソル、５３：詳細情報、６：色センサ、７：光源、Ｄ１：第一方向、Ｄ２：第二方向
【図１】
0006577747.tif 000002
【図２】
0006577747.tif 000003
【図３】
0006577747.tif 000004
【図４】
0006577747.tif 000005
【図５】
0006577747.tif 000006